(57)【特許請求の範囲】
【請求項１】
ディジタル移動ネットワークにおける既存のメッセージに基づくサービスを用いてメッセージ中で所定構造の情報を受信機に送信する方法であって、
前記受信機によって前記メッセージから抽出されるよう意図された情報フィールドを、前記メッセージのユーザ・テキスト部に与えるステップと、
さらに、前記メッセージの前記ユーザ・テキスト部に対して、予め定められたシンタックスを用いて、予め定められたルールによって与えられる位置に、前記情報フィールドが前記メッセージ中のどこに配置されているかを示す情報を含むポインタ・フィールドを与えるステップと、
を含む方法。
【請求項２】
前記情報フィールドがどのようなタイプの情報に関係するかを示す情報を、前記ポインタ・フィールドに与えるステップを含む、請求項１に記載の方法。
【請求項３】
前記情報フィールドは、前記受信機において視覚的に提示されるかまたは記憶されるべきテキストまたはデータを含むものである、請求項１または２に記載の方法。
【請求項４】
前記情報フィールドは、前記受信機から離れた場所に記憶されたファイルをダウンロードまたは転送するときに、前記受信機によって使用されるよう意図された識別子を含むものである、請求項１乃至３のいずれかに記載の方法。
【請求項５】
前記ポインタ・フィールドに次に示すタイプの情報、
前記情報フィールドの始まりに対応する前記メッセージ中の位置を示す情報と、
前記情報フィールドの長さ、または前記情報フィールドの終わりに対応する前記メッセージ中の位置を示す情報、
の中の少なくとも１つを、前記ポインタ・フィールドに与えるステップを含む、請求項１乃至４のいずれかに記載の方法。
【請求項６】
前記受信機は、移動局であって、移動電話機、いわゆるスマート電話機、または、移動通信機能を有するポータブル・コンピュータ、のような移動局である、請求項１乃至５のいずれかに記載の方法。
【請求項７】
前記ディジタル移動ネットワークはいわゆるＧＳＭネットワークであり、前記メッセージに基づくサービスはＳＭＳまたはＵＳＳＤのいずれかである、請求項１乃至６のいずれかに記載の方法。
【請求項８】
前記メッセージは、１より多い情報フィールドと、対応するポインタ・フィールドとを含むように構成されたものである、請求項１乃至７のいずれかに記載の方法。
【請求項９】
ディジタル移動ネットワークにおける既存のメッセージに基づくサービスの支援を受けて受信機に転送されたメッセージ中の所定構造の情報をその受信機において受信する方法であって、
予め定められたシンタックスを用いて、予め定められたルールによって与えられる前記メッセージ中の位置から、そのメッセージのユーザ・テキスト部に配置されていて、関連する情報フィールドが前記メッセージ中のどこに配置されているかを示す情報を含むポインタ・フィールドを読取るステップと、
前記ポインタ・フィールドによって示される前記メッセージの前記ユーザ・テキスト部中の位置から前記情報フィールドを抽出するステップと、
を含む方法。
【請求項１０】
前記情報フィールドがどのようなタイプの情報に関係するかを示す情報を前記ポインタ・フィールドから抽出し、前記抽出された情報に従って前記情報フィールドを処理するステップを含む、請求項９に記載の方法。
【請求項１１】
前記情報フィールドは、前記受信機において視覚的に提示されるかまたは記憶されるべきテキストまたはデータを含むものである、請求項９または１０に記載の方法。
【請求項１２】
前記情報フィールドは、前記受信機から離れた場所に記憶されたファイルをダウンロードまたは転送するときに、前記受信機によって使用されるよう意図された識別子を含むものである、請求項９乃至１１のいずれかに記載の方法。
【請求項１３】
前記ポインタ・フィールドから次に示すタイプの情報、
前記情報フィールドの始まりに対応する前記メッセージ中の位置を示す情報と、
前記情報フィールドの長さ、または前記情報フィールドの終わりに対応する前記メッセージ中の位置を示す情報、
の中の少なくとも１つを示す情報を、前記ポインタ・フィールドから抽出するステップを含む、請求項９乃至１２のいずれかに記載の方法。
【請求項１４】
前記受信機は、移動局であって、移動電話機、いわゆるスマート電話機、または、移動通信機能を有するポータブル・コンピュータ、のような移動局である、請求項９乃至１３のいずれかに記載の方法。
【請求項１５】
前記ディジタル移動ネットワークはいわゆるＧＳＭネットワークであり、前記メッセージに基づくサービスはＳＭＳまたはＵＳＳＤのいずれかである、請求項９乃至１４のいずれかに記載の方法。
【請求項１６】
前記メッセージは、１より多い情報フィールドと、対応するポインタ・フィールドとを含むように構成されたものである、請求項９乃至１５のいずれかに記載の方法。
【請求項１７】
ディジタル移動ネットワークにおける既存のメッセージに基づくサービスを用いてメッセージ中で所定構造の情報を受信機に送信する装置であって、
前記受信機によって前記メッセージから抽出されるよう意図された情報フィールドを前記メッセージのユーザ・テキスト部に与え、さらに、前記メッセージの前記ユーザ・テキスト部に対して、予め定められたシンタックスを用いて、予め定められたルールによって与えられる位置に、前記情報フィールドが前記メッセージ中のどこに配置されているかを示す情報を含むポインタ・フィールドを与える手段を含む装置。
【請求項１８】
前記情報フィールドがどのようなタイプの情報に関係するかを示す情報を、前記ポインタ・フィールドに与える手段を含む、請求項１７に記載の装置。
【請求項１９】
ディジタル移動ネットワークにおける既存のメッセージに基づくサービスの支援を受けて転送されたメッセージ中で所定構造の情報を受信する装置であって、
予め定められたシンタックスを用いて、予め定められたルールによって与えられる前記メッセージ中の位置から、前記メッセージのユーザ・テキスト部に配置されていて、関連する情報フィールドが前記メッセージ中のどこに配置されているかを示す情報を含むポインタ・フィールドを読み取り、また、前記ポインタ・フィールドによって示される前記メッセージの前記ユーザ・テキスト部中の位置から前記情報フィールドを抽出する手段を含む装置。
【請求項２０】
前記情報フィールドがどのようなタイプの情報に関係するかを示す情報を前記ポインタ・フィールドから抽出し、前記抽出された情報に従って前記情報フィールドを処理する手段を含む、請求項１９に記載の装置。
【発明の詳細な説明】
【０００１】
【発明の属する技術分野】
本発明は、ディジタル移動（移動体）ネットワークにおける既存のメッセージに基づくサービスを用いて、メッセージ中で情報を受信機に転送する方法および装置に関する。
【０００２】
また、本発明は、ディジタル移動通信ネットワークにおける既存のメッセージに基づくサービスの援助（助け）によって、受信機に転送されたメッセージ中の情報を受信機において受信する方法および装置に関する。
【０００３】
【発明の背景】
現在、ディジタル移動ネットワーク（網）において所与の標準に従って提供されるメッセージに基づくサービス（メッセージ・ベースのサービス、メッセージを基本とするサービス）の例が多数存在する。その例としてディジタル移動ネットワークＧＳＭにおけるメッセージに基づくサービスＳＭＳおよびＵＳＳＤを挙げることができるが、本発明は、例えばＧＰＲＳ、ＣＤＭＡ、Ｄ−ＡＭＰＳ（ＩＳ−１３６）、ＰＤＣ（Pacific Digital Cellularパシフィック・ディジタル・セルラ）、Ｗ−ＣＤＭＡ（Wideband Code Division Multiple Access、広帯域符号分割多重アクセス）、およびＵＭＴＳ／ＩＭＴ−２０００のようなその他の既存のまたは将来のディジタル移動ネットワークにおける類似したメッセージに基づくサービスにも適用できる。
【０００４】
これらのメッセージに基づくサービスは今日では様々な多数の方法で用いられ、通常は受信移動局（ステーション）のディスプレイ（表示器）に表示されるべきテキスト情報を転送するのに使用され、また、例えば本発明の出願人名の国際特許出願明細書ＷＯ９６／０１０７７号に記載されているような様々な方法で受信移動局によって解釈（翻訳）可能であるはずのテキストまたはデータを転送するのにも使用される。従って、最近では上述のメッセージに基づくサービスは、多数の新しいタイプの補足的または付加的（supplementary）サービスを提供する基礎（基盤）として使用されている。
【０００５】
受信機がメッセージ中から情報を収集してそれを所望の形態で処理できるような形態でそのメッセージに情報がテキストまたはデータの形式で組み込まれているときは、送信機と受信機はそのメッセージの構成のシンタックス（構文）について予め取り決めて（合意して）おき、即ち、送信機と受信機はそのメッセージ中で情報がどのように構成さ（組み立てら）れるべきかについて取り決めなければならない。これは問題である。その理由は、関係する様々なオペレータ（処理機）または人々は、例えば、言語の相違に応じて、また、メッセージに含まれるまたはメッセージによって提供される情報またはサービスのタイプについての様々な要請（希望）に応じて、様々なタイプのシンタックスを好むからである。メッセージに基づくサービスを用いて様々なタイプのサービスに関係する情報が転送される場合には、多くの事例において各サービスは自己（固有）のシンタックスを持っていなければならず、従って、送信機および受信機は幾つかのシンタックスを管理（マスタ）しなければならない。
【０００６】
【発明の目的】
本発明の目的は、様々なシンタックスに対する様々なオペレータの要求または要請を簡単な方法で考慮し（勘案し）そのような要求に対処することもできる機能を提供することによって、上述の問題を解消（解決）することである。
【０００７】
【発明の概要】
本発明の第１の特徴によれば、上述の目的は、ディジタル移動ネットワークにおける既存のメッセージに基づくサービスを用いてメッセージ中で情報を受信機に送信するための、発明の詳細な説明の導入部分で述べたタイプ（形式）の方法および装置によって実現される。本発明は、一方では、上記受信機によって上記メッセージから抽出されるよう意図された情報フィールドが上記メッセージに与えられ（設けられ）、他方では、予め定められた（所定の）シンタックスを用いて（用いながら）、予め定められた（所定の）ルールによって与えられる位置にあるポインタ・フィールドが上記メッセージに与えられ（設けられ）、また、上記ポインタ・フィールドは上記情報フィールドが上記メッセージ中のどこに配置されているかを示す情報を含むこと、を特徴としている。
【０００８】
本発明の第２の特徴によれば、上述の目的は、ディジタル移動ネットワークにおける既存のメッセージに基づくサービスによって受信機に転送されたメッセージ中の情報をその受信機で受信するための、発明の詳細な説明の導入部分で述べたタイプ（形式）の方法および装置によって実現される。本発明は、メッセージ中に配置されていて、予め定められたシンタックスを使用して、予め定められたルールによって与えられる上記メッセージ中の位置から、関連する情報フィールドが上記メッセージ中のどこに配置されているかを示す情報を含むポインタ・フィールドが読み取られること、また、上記情報フィールドは上記ポインタ・フィールドによって示される上記メッセージ中の位置から抽出されること、を特徴としている。
【０００９】
従って、本発明は受信機においてインテリジェント（知能的）に抽出可能でありかつ処理可能であるべき情報フィールド（テキストおよびデータ）に加えてポインタ・フィールドを上記メッセージに与える（設ける）思想（アイディア）に基づいている。上記ポインタ・フィールドは抽出用の情報フィールドがそのメッセージ中のどこでフェッチできる（取り出せる）かを示す。このようにして、様々なオペレータは、実際のポインタ・フィールドがメッセージ中のどこに配置されるべきか、そのポインタ・フィールドがどのように構成されるべきであるか、および、そのポインタ・フィールド中の情報がどのように解釈（翻訳）されるべきであるか、を示すルールについて取り決めさえすればよい。そのようなルールに基づいて個々のユーザ・グループは、彼らが望む方法で彼らの情報フィールドを配置し構成するよう選択することができる。従って、同じ１つのルール（同じ１つのフォーマット）を用いて、相異なるタイプ（形式）のサービスを規定（定義）することができる。
【００１０】
本発明の好ましい実施形態によれば、上記ポインタ・フィールドは、上記情報フィールドがどのようなタイプ（形式）の情報に関係するかを示す情報を含んでいる。このようにして、ポインタ・フィールドは、情報フィールド中の情報が電話番号、電子（ｅ）メール・アドレス、ＩＰアドレス、識別（ＩＤ）番号、パスワード、送信者（送信機）のＩＤ（身元、アイデンティティ）、受信したメッセージに関連する記憶された電子メールまたはファクシミリのメッセージのサイズ（大きさ）、または、そのような電子メールまたはファクシミリのメッセージを転送するための計算された時間、等で構成されているかどうか示すことができる。これは、予め定められたルールに従って、上述のルールに従う或るタイプの情報に関連付けられた２進コード化（符号形）１６進数を含むポインタ・フィールド中の１つまたはそれより多いキャラクタによって適正に構成される。従って、これは、同じ１つのルールに基づいて種々のタイプの通知／メッセージ／サービスを規定する可能性を与えるものである。
【００１１】
本発明の一実施形態によれば、上記ポインタ・フィールドは、受信機において視覚的（可視的）に提示（表示）されるかまたは記憶されるべきテキストまたはデータを含む情報フィールドを示すのに使用される。しかし、特に好ましい代替構成では、上記受信機から離れた場所に記憶（蓄積）されたファイルをフェッチ（取り出す）または再ルーティング（再経路指定、re-routing）するときに上記受信機によって使用されるよう意図された識別子、例えばここで参照によって組み込む（incorporated by reference）前述の国際特許明細書第ＷＯ９６／０１０７７号に記載されているタイプのエージェント、を含む情報フィールドを示すために上記ポインタ・フィールドを使用する。
【００１２】
ポインタ・フィールドにおけるその関連する情報フィールドの位置を識別（特定）する好ましい方法は、定められたルールに従うそのポインタ・フィールドが、上記情報フィールドの始まり（開始点）に対応する上記メッセージ中の位置を示す情報を含むことである。さらにまた、ポインタ・フィールドは、好ましは、上記情報フィールドの長さまたは上記情報フィールドの終わり（終了点）に対応する上記メッセージ中の位置を示す情報を含むべきである。しかし、その関連する情報フィールドの位置を示す他の方法も適用可能なことは明らかである。
【００１３】
本発明の最も興味のある適用例は、上記受信機が移動電話機またはいわゆるスマート電話機のような移動局である場合であることを理解すべきである。移動電話機は好ましくはポータブル・コンピュータとますます一体化されて単一のユニットを構成する傾向が定着しており、本発明はそのようなユニットにも当然適用できることを理解すべきである。但し、本発明は受信機が移動局である場合に限定されるものではないことを理解すべきである。移動ネットワークにおける上記メッセージに基づくサービスが本発明に従って用いられる限り、例えば固定された２つの点（ポイント）の間でも全く同様に通信を行うことができる。
【００１４】
上記ディジタル移動ネットワークはＧＳＭネットワークであり、また上記メッセージに基づくサービスはＳＭＳまたはＵＳＳＤのいずれかであることが好ましい。その結果、典型例の実施形態に関する以下の説明は、ＧＭＳネットワークにおけるメッセージに基づくサービスＳＭＳを参照している。しかし、前述のように、本発明はこれらのシステムに限定されるものではなく、例えばディジタル移動ネットワークＧＰＲＳ、ＣＤＭＡ、Ｄ−ＡＭＰＳ（ＩＳ−１３６）、ＰＤＣ（Pacific Digital Cellular）、Ｗ−ＣＤＭＡ（Wideband Code Division Multiple Access）、およびＵＭＴＳ／ＩＭＴ−２０００のような同様の種類のメッセージに基づくサービスを有する他の既存のまたは将来のディジタル移動ネットワークにも適用できることを理解すべきである。
【００１５】
次の典型的実施形態の説明から、本発明の別の利点、側面および特徴が明らかになる。
【００１６】
図面の簡単な説明には、本発明の典型的実施形態が図面を参照して説明されている。
【００１７】
【発明の典型的実施形態の詳細な説明】
次に、本発明に従って構成された短いメッセージに基づくサービス（short message based service）を提供するシステムを、図１を参照して説明する。
【００１８】
図１におけるシステム１０に含まれているＭＳＣ２０（Mobile Service Switching Centre、モバイル・サービス交換センタ）は、ディジタル移動ネットワークＧＳＭ（Global System for Mobile Communication、移動体通信用グローバル・システム）に含まれており、また、基地局（ベースステーション）２６を介して移動局（モバイル・ステーション）２２と通信する。移動局２２は、例えば、移動電話機、そのネットワークに接続されるポータブル（携帯形）コンピュータ、または“スマート電話機”であってもよい。スマート電話機は、基本的に移動電話機とポータブル・コンピュータの組合せとして考えることができる。ＭＳＣ２０は、例えば、指名通話（person-to-person call）およびボイス（音声）メールボックス・メッセージ、または、ＳＭＳのような短いメッセージに基づくサービス、等を含み得る移動局２２への／からのトラヒック（traffic）を管理する（administer）。
【００１９】
移動ネットワークを介してルーティング（経路指定）されるＳＭＳメッセージは、いわゆるＳＭＳセンタ（ＳＭＳ−Ｃ）１８を介して接続される。ＳＭＳセンタはＳＭＳメッセージを正しい受信機に宛てる。この例では、システム１０は、その移動ネットワークを介して様々な種類のサービスを提供するサーバ１２をも含んでおり、インタフェース１６を介してその移動ネットワークと通信する。そのために、サーバ１２は、適当な時機にその問題の受信機に送信すべき、例えば、電子（ｅ）メール、ファクシミリ、ＳＭＳメッセージ、等のような様々な（相異なる）タイプのメッセージ、または例えばＷＷＷページ等のようなその他のコンテンツ（内容）を蓄積（格納、記憶）するための、好ましくは一時的に蓄積するためのデータベース１４を用いる。データベース１４に蓄積されるメッセージは、例えば実際のサーバ１２において生成することもできるが、例えばその移動ネットワークに接続された移動局から、または例えばインターネットのようなサーバ１２によって直接的または間接的にアクセスされるその他の或るタイプのネットワークを介して通信するユーザからも同様に発信し得る。
【００２０】
さらに、移動局２２は、例えば、以下の説明に従ってＳＭＳメッセージを復号し組み立てる手段を移動局に与える（提供する）クライアント機能２４を含んでいる。
【００２１】
次に、図１におけるシステム１０の典型的な動作モードを説明する。この動作モードでは、サーバ１２は、遠隔オペレータ（処理機）側に配置されていて、移動局２２を有する加入者に宛てた（アドレスされた）電子メールを受信する。サーバ１２は、そのような電子メール・メッセージを受信すると、それをデータベース１４に蓄積（格納）する。それと同時に、サーバ１２は、その受信した電子メール・メッセージ用の（に対する）識別子を含む通知ＳＭＳメッセージを生成する。その識別子は“エージェント（agent）”ともいわれ、そのエージェントは、サーバにおけるその関連する電子メール・メッセージの位置への経路（ルート）を一意的形態で（一意的に、in a unique manner）示すものである。その識別子は、例えばサーバ１２に対する電話番号、パスワード、および特定の電子メール・メッセージの固有アドレスを含むことができる。その後、このＳＭＳメッセージは、インタフェース１６、ＳＭＳセンタ１８、ＭＳＣ２０および基地局２６を介して移動局２２に送信される。その受信において、移動局２２におけるクライアント機能２４は、ＳＭＳメッセージにおいて受信したその識別子を復号し、移動局２２の所有者は、その識別子を用いてその蓄積された電子メール・メッセージのダウンロードまたは送信（転送）等を開始することができる。
【００２２】
次に、ディジタル移動ネットワークＧＳＭにおける既存のメッセージに基づくサービスＳＭＳに従う、ＳＭＳメッセージといわれるメッセージの一般的構成を、図２を参照して説明する。図２から明らかなように、ＳＭＳメッセージ２０は、基本的に３つの部分、ヘッダ部２１、ユーザ・テキスト部２２およびチェックサム（検査合計）２３からなる。ヘッダ（head、ヘッド）部２１の構成は、大きな度合いで、ＳＭＳサービスについて規定した標準の結果である。ユーザ・テキスト部２２は、通常、受信機への実際のメッセージを含んでいる（この部分は、後で説明するような、移動局のディスプレイ上に通常表示されるテキスト部分である）。チェックサム２３は、ＳＭＳメッセージが全体的に正しく受信されたことを検査（ベリファイ、検証）するのに用いられる。実際のユーザ・テキスト部２２は、典型的には、それぞれ７ビットを含む６０個のキャラクタかまたはそれぞれ８ビットを含む１４０個のキャラクタで構成される。７ビットを含む各キャラクタは、通常、ＡＳＣＩＩコード等の２進コード（符号）形の１６進形式で表される。
【００２３】
図２に示されたような種類のＳＭＳメッセージを利用するサービスを設計するとき、現在のアプリケーションに応じて修正（変形）されるのは主にユーザ・テキスト部２２の構成である。その理由は、ヘッダ部２１およびチェックサム２３の構成は、主に、移動ネットワークについて規定した標準の結果だからである。従って、図３ａ〜３ｃおよび図４ａ〜４ｃ（下）に示されたＳＭＳメッセージの構成（structure：構造）の例は、実際のユーザ・テキスト部２２の構成（構造）に関係する。但し、そのユーザ・テキスト部の構成は、この点に関して本発明を何ら限定するものではない。
【００２４】
次に、従来技術によるＳＭＳメッセージのユーザ・テキスト部２２の構成の例を図３ａ〜３ｃを参照して説明する。図３ａ〜３ｃおよび図４ａ〜４ｃにおいてＳＭＳメッセージにおける各四角（枠）は７ビットからなる１つのキャラクタに対応し、そのキャラクタは、転送されるとき、通常はＡＳＣＩＩコード等の２進コード形１６進形式で表される。さらに、これらの図においてキャラクタ“／”はエンド・オブ・ライン（ライン（行）の最後（終わり）、end of line）を意味するよう意図されている。
【００２５】
図３ａにおいて、ＳＭＳメッセージは、受信機によって読み取られるよう意図された通常のテキスト・メッセージとして構成さ（組み立てら）れる。その結果、そのメッセージは移動局のディスプレイ上に次のように表示される（提示される、伝えられる）。
ＨＥＬＬＯ  ＪＯＨＮ
ＣＡＬＬ  ８２４６
ＳＴＥＶＥ
（訳文：  こんにちは  ジョン
８２４６に電話して下さい
スティーブ  ）
【００２６】
図３ｂにおいて、ＳＭＳメッセージのユーザ・テキスト部はキャラクタ“＃＃”で始まる。キャラクタ“＃＃”は、この事例において、後続のテキスト・フィールドが所定の（予め定められた）シンタックスに従って構成されていることを、受信移動局に対して示す指示（命令）であるとする。図示したような場合、その予め規定されたシンタックスは、最初のキャラクタ“＃＃”とエンド・オブ・ライン用の次のキャラクタ“／”の間に配置された複数のキャラクタがそのメッセージの送信者（送信機）に関係すること、さらに、エンド・オブ・ライン用の次のキャラクタ“／”までの後続の複数のキャラクタはそのメッセージの題名（主題、サブジェクト）に関係することを示しているものとする。このようにして、クライアント機能は、システムの構成に応じて、ＳＭＳメッセージからこの情報を取り出し、例えば次のような情報を提示する（伝える）。
Ｆｒｏｍ：  ＳＴＥＶＥ＠ＣＯＭＰＡＮＹ．ＣＯＭ
Ｓｕｂｊｅｃｔ：  ＰＲＯＪＥＣＴ  Ｂ
（訳文：  発信元：ＳＴＥＶＥ＠ＣＯＭＰＡＮＹ．ＣＯＭ
題名：プロジェクトＢ  ）
【００２７】
この事例において受信移動局におけるクライアント機能が所定のシンタックスに従うメッセージを認識する機能を備えていない場合には、クライアント機能は、そのメッセージを単純に普通のテキスト・メッセージとして解釈（翻訳）して、次のようなメッセージを提示する。
＃＃ＳＴＥＶＥ＠ＣＯＭＰＡＮＹ．ＣＯＭ
ＰＲＯＪＥＣＴ  Ｂ
（訳文：  ＃＃ＳＴＥＶＥ＠ＣＯＭＰＡＮＹ．ＣＯＭ
プロジェクトＢ  ）
【００２８】
図３ｃにおいて、ＳＭＳメッセージのユーザ・テキスト部はキャラクタ“＃＊”で始まる。キャラクタ“＃＊”は、この事例において、後続のテキスト・フィールドが所定のシンタックスに従って構成されていることを、受信移動局に示す指示（命令）であるとする。この事例において、その所定のシンタックスは、図１を参照して説明したような種類の中でも“エージェント”ともいわれる識別子も含んでいる。その例示した場合において、最初のキャラクタ“＃＊”とエンド・オブ・ライン用の次のキャラクタ“／”の間に配置された複数のキャラクタが送信者（送信機）に関係すること、エンド・オブ・ライン用の次のキャラクタ“／”までの後続の複数のキャラクタはメッセージの題名に関係すること、および、そのメッセージの最後に配置された４つのキャラクタは識別子またはエージェントを構成することを示しているものとする。このようにして、クライアント機能は、ＳＭＳメッセージからこの情報を取り出して、例えば次のような情報を提示する（伝える）ことができる。
Ｆｒｏｍ：  ＳＴＥＶＥ＠ＣＯＭＰＡＮＹ．ＣＯＭ
Ｓｕｂｊｅｃｔ：  ＰＲＯＪＥＣＴ  Ｂ
ＪｏｂＩＤ：  １３４２
（訳文：  発信元：ＳＴＥＶＥ＠ＣＯＭＰＡＮＹ．ＣＯＭ
題名：プロジェクトＢ
ジョブＩＤ：１３４２  ）
【００２９】
その後、その実際の識別（ＩＤ）１３４２を用いて、その識別子が関係する電子メール・メッセージをダウンロードまたは送信（転送）し、好ましくは自動的にダウンロードまたは送信することができる。
【００３０】
この事例において受信移動局におけるクライアント機能が所定のシンタックスに従うメッセージを認識する機能を備えていない場合には、クライアント機能は、そのメッセージを単純に普通のテキスト・メッセージとして解釈（翻訳）して次のようなメッセージを提示する。
＃＊ＳＴＥＶＥ＠ＣＯＭＰＡＮＹ．ＣＯＭ
ＰＲＯＪＥＣＴ  Ｂ
１３４２
（訳文：  ＃＊ＳＴＥＶＥ＠ＣＯＭＰＡＮＹ．ＣＯＭ
プロジェクトＢ
１３４２  ）
【００３１】
次に、本発明の好ましい実施形態に従うＳＭＳメッセージの構成の例を図４ａ〜４ｃを参照して説明する。これらの図において、受信移動局におけるクライアント機能は、後で説明するように、本発明によるルール（規則）に従って構成（structured：構造化）されたＳＭＳメッセージを受信する機能を備えているものとする。
【００３２】
図４ａにおいて、ＳＭＳメッセージは受信機によって読み取られる通常のテキスト・メッセージとして構成されている。そのメッセージは、そのメッセージが規定のルールに従ってフォーマット化されていることを移動局におけるクライアント機能に示す任意の特定のキャラクタを含んでいないので、そのメッセージは、通常のテキスト・メッセージとして解釈（翻訳）されて、移動局のディスプレイ上に次のように表示される。
ＨＥＬＬＯ  ＪＯＨＮ
ＣＡＬＬ  ８２４６
ＳＴＥＶＥ
（訳文：  こんにちは  ジョン
８２４６に電話して下さい
スティーブ  ）
【００３３】
図４ｂにおいて、ＳＭＳメッセージのユーザ・テキスト部はキャラクタ“（（（”で始まる。キャラクタ“（（（”は、この実施形態において、そのメッセージが所定のルールに従って構成されていることを受信機に対して示す指示（命令）であるとする。（この関係において、このタイプの指示は、ＳＭＳメッセージ等のヘッダに組み込むこともできることに留意すべきである。）この事例において、そのルールは、その最初の３つのキャラクタの後に、さらにディジット（数字）キャラクタの後に何個のポインタ・フィールドが続くかを示す１つのディジット・キャラクタが続くことを示唆している。その各ポインタ・フィールドは、３つのキャラクタからなり、対応する情報フィールドに関係している。従って、図４ｂにおいて、その第４（４番目）のキャラクタは、そのディジット・キャラクタの後に２つのポインタ・フィールド３１、３２が続くことを示している。これらのポインタ・フィールドの各々は、そのポインタ・フィールドが関係する情報フィールドにどのようなタイプの情報が含まれているかを示す第１（１番目）のキャラクタと、その関連する情報フィールドが始まるそのメッセージ中のキャラクタ位置を示す第２（２番目）のキャラクタと、その関連する情報フィールドのサイズ（キャラクタ数）を示す第３（３番目）のキャラクタとを含んでいる。
【００３４】
従って、図４ｂにおいて、クライアント機能は、そのメッセージが２つのポインタ・フィールド３１、３２、情報フィールド４１および情報フィールド４２を含んでいることを設定する。その第１のポインタ・フィールド３１が示す情報フィールド４１は、キャラクタ位置２０で始まり９キャラクタの長さを有するサブジェクト・フィールド（Ｓ＝“ｓｕｂｊｅｃｔ（題名）”）に関係する。その第２のポインタ・フィールド３２が示す情報フィールド４２は、キャラクタ位置３５で始まり１７キャラクタの長さを有する送信者（送信機）フィールド（Ｆ＝“ｆｒｏｍ（から、発信元）”）に関係する。クライアント機能は、これらのポインタによって与えられる情報に基づいて、上述の情報フィールドを収集して、例えば図３ｂにおけるメッセージに用いられたのと同様の形態でそれらを次のように提示する。
Ｆｒｏｍ：  ＳＴＥＶＥ＠ＣＯＭＰＡＮＹ．ＣＯＭ
Ｓｕｂｊｅｃｔ：  ＰＲＯＪＥＣＴ  Ｂ
（訳文：  発信元：ＳＴＥＶＥ＠ＣＯＭＰＡＮＹ．ＣＯＭ
題名：プロジェクトＢ  ）
【００３５】
図４ｃにおいても、ＳＭＳメッセージのユーザ・テキスト部はキャラクタ“（（（”で始まる。従って、“（（（”は、この事例においても、そのメッセージが所定のルールに従って構成されていることを受信機に対して示す指示（命令）である。図４ｃにおいて、その所定のルールに従ってその最初の３つの括弧の後に続く１つのディジット・キャラクタは、このメッセージにおけるディジット・キャラクタの後に３つのポインタ・フィールド３３、３４、３５が続くことを示している。その各ポインタ・フィールドは３つのキャラクタで構成されている。従って、受信機は、第１のポインタ・フィールド３３が示す情報フィールド４３が、キャラクタ位置４８で始まり４キャラクタの長さを有する識別子フィールド（Ａ＝“ａｇｅｎｔ（エージェント）”）に関係すること；第２のポインタ・フィールド３４が示す情報フィールド４４が、キャラクタ位置３９で始まり９キャラクタの長さを有するサブジェクト・フィールド（Ｓ＝“ｓｕｂｊｅｃｔ（題名）”）に関係すること；および、第３のポインタ・フィールド３５が示す情報フィールド４５が、キャラクタ位置２３で始まり１７キャラクタの長さを有する送信者（送信機）フィールド（Ｆ＝“ｆｒｏｍ（から、発信元）”）に関係すること；を設定する。クライアント機能は、これらのポインタによって与えられる情報に基づいて、図４ｂにおけるのと同様の形態で上述の情報フィールドを収集して、それらを提示することができ、代替構成としてその識別子を用いて例えばＳＭＳメッセージに関係する電子メールまたはファクシミリ・メッセージを送信（転送）しまたはダウンロードすることができる。
【００３６】
この事例において受信移動局におけるクライアント機能が所定のルールに従うメッセージを認識する機能を備えていない場合は、クライアント機能は、そのメッセージを単純に一般的（共通の）テキスト・メッセージとして解釈（翻訳）して、図３ａ〜３ｃを参照して説明したのと同様の形態でそのメッセージを普通のテキストとして提示する。
【００３７】
以上、典型的実施形態を参照して本発明を説明したが、請求の範囲に記載した本発明の範囲内で変形および変更を行うことができる。例えば、１つのポインタ・フィールドは様々な複数の情報フィールドを示すように構成することができ、または、上述の典型的実施形態における各ポインタ・フィールドがそれぞれの個々の情報フィールドを示す場合であっても、複数のポインタ・フィールドは同じ１つの情報フィールドを示すことができる。
【図面の簡単な説明】
【図１】  図１は、本発明による、短いメッセージに基づくサービスを提供するためのシステムを概略的に示している。
【図２】  図２は、ディジタル移動ネットワークＧＳＭにおける既存のメッセージに基づくサービスＳＭＳに従うメッセージの一般的構成を概略的に示している。
【図３】  図３ａ〜３ｃは、従来技術によるＳＭＳメッセージの実施形態の例を示している。
【図４】  図４ａ〜４ｃは、本発明の好ましい実施形態によるＳＭＳメッセージの実施形態の例を示している。
【図１】
0004414090.tif 000002
【図２】
0004414090.tif 000003
【図３】
0004414090.tif 000004
【図４】
0004414090.tif 000005